(57)【要約】      （修正有）【課題】理美容院のほか、自分でウェーブを形成する利用者にとってコスト負担が小さく、高度な技術を必要とせず頭髪のウェーブの大きさに変化をもたせることができ、保管場所の確保を要せず、携帯可能でとくに整備をする必要がないウェーブ形成材を提供する。【解決手段】厚さが１，５ｍｍ〜２，０ｍｍの主にフェルト生地からなるウェーブ形成材本体２と、頭髪を巻き付けることができ、その上から前記ウェーブ形成材本体を巻き付けられるように円筒状に成形されたロッド３と、このロッドに巻き付けられた頭髪５及びウェーブ形成材１を保持できる主に輪ゴムからなる保持材とでウェーブ形成材を構成する。【選択図】図２
0003170709.tif 000002
【実用新案登録請求の範囲】
【請求項１】
厚さが１，５ｍｍ〜２，０ｍｍの主にフェルト生地からなるウェーブ形成材本体と、頭髪を巻き付けることができ、その上から前記ウェーブ形成材本体を巻き付けられるように円筒状に成形されたロッドと、このロッドに巻き付けられた頭髪及びウェーブ形成材を保持できる主に輪ゴムからなる保持材とで構成されたウェーブ形成材。
【請求項２】
厚さが１，５ｍｍ〜２，０ｍｍの主にフェルト生地からなるウェーブ形成材本体と、このウェーブ形成材本体に設けられ、あるいは当該ウェーブ形成材本体に均一に配置されるように複数設けられた主にプラスチックからなる支持材と、この支持材の両端に引っ掛けることにより、巻き付けられた頭髪及びウェーブ形成材を保持できる主に輪ゴムからなる保持材とで構成されたウェーブ形成材。
【請求項３】
前記ウェーブ形成材本体内に、主にフェルト生地からなる弾性体を挟み込んだことを特徴とする請求項１乃至請求項２いづれかに記載のウェーブ形成材。
【請求項４】
前記ウェーブ形成材本体にパーマネント液が浸透しやすいよう多孔を設けたことをと特徴とする請求項１乃至請求項３いづれかに記載のウェーブ形成材。
【考案の詳細な説明】
【考案の詳細な説明】
【技術分野】
【０００１】  本考案は頭髪にパーマネントウェーブ等のウェーブをかける際に、頭髪に巻き付けるウェーブ形成材に関する。
【背景技術】
【０００２】  従来から、理美容院で頭髪にパーマネントウェーブ、ドライセット及び自在性カーラーをかける場合においては、頭髪を筒状のロッドに巻きつけ、輪ゴム等で頭髪を保持することでウェーブを形成している。ロッドが円筒状であるので、規則的なウェーブができるが、どうしてもロッドの直径に比べ大幅に大きいウェーブとなってしまう。より小さいウェーブを作るためには、ロッドの頭髪巻付け部の表面を樹脂状にしたり、変形部材を使用したりして、頭髪をロッドにきつく巻付けていた。また、ウェーブに変化をつけようとする場合には円錐状のロッドを使用し、その形状に合わせて頭髪を巻付けることで、例えば、毛先は小さいウェーブで、根元に近づくに従い大きいウェーブとすることができる。あるいはその逆のウェーブをつくることができる。【０００３】  しかし、上記ロッドの頭髪巻付け部を樹脂状や変形部材にすると、ロッドのコストが上がり、しかも、異なるウェーブの大きさを形成するためには、直径の異なるロッドを複数用意しなければならずコスト負担が増大していた。また、上記円錐状のロッドは一定のウェーブの変化を付けられるが、形状が不安定なので作業者は扱いづらく、熟練した作業者でなければ変化をつけたウェーブを作ることは困難であった。さらに、異なるウェーブの大きさにしようとすると、ロッドの大きさが異なる円錐状ロッドを複数用意することとなるが、形状が不安定なので保管場所の確保が困難となり、清潔に保つための整備も大変であった。
【先行技術文献】
【０００４】
【特許文献１】  特願平１１−２５９８７３  特願２００４−２５１９６２
【考案の概要】
【考案が解決しようとする課題】
【０００５】  本考案は、上記のような従来の欠点に鑑み、理美容院のほか、自分でウェーブを形成する利用者にとってコスト負担が小さく、高度な技術を必要とせず頭髪のウェーブの大きさに変化をもたせることができ、保管場所の確保を要せず、携帯可能でとくに整備をする必要がないウェーブ形成材を提供することを目的としている。【０００６】  本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００７】  上記目的を達成するために、本考案は、厚さが１，５ｍｍ〜２，０ｍｍの主にフェルト生地からなるウェーブ形成材本体と、このウェーブ形成材本体を巻き付け、さらにその上から頭髪を巻き付けることができるように成形されたロッドと、このロッドに巻き付けられた頭髪及びウェーブ形成材を保持できる主に輪ゴムからなるロッドとでウェーブ形成材を構成している。【０００８】  本考案は厚さが１，５ｍｍ〜２，０ｍｍの主にフェルト生地からなるウェーブ形成材本体と、このウェーブ形成材本体に設けられ、あるいは当該ウェーブ形成材本体に均一に配置されるように複数設けられ、主にプラスチックからなる支持材と、この支持材の両端に引っ掛けることにより、巻き付けられた頭髪及びウェーブ形成材を保持できる主に輪ゴムからなる保持具とでウェーブ形成材を構成している。
【考案の効果】
【０００９】  以上の説明から明らかなように、本考案にあっては次に列挙する効果が得られる。
（１）厚さが１，５ｍｍ〜２，０ｍｍの主にフェルト生地からなるウェーブ形成材本体と、頭髪を巻き付けることができ、その上から前記ウェーブ形成材本体を巻き付けられるように円筒状に成形されたロッドと、このロッドに巻き付けられた頭髪及びウェーブ形成材を保持できる主に輪ゴムからなる保持材とでウェーブ形成材を構成しているので、安価に作ることができ、コスト負担が小さい。【００１０】（２）前記（１）によって、小さいウェーブから大きいウェーブへ、さらに小さいウェーブへとウェーブの大きさを自在に変化させることができるので、高度な技術を必要とせずウェーブの大きさに変化をもたせることができる。【００１１】（３）請求項２も前記（１）、（２）と同様な効果が得られるとともに、保管場所の確保に困ることなく、携帯が容易なので、清潔に保つための整備が不要である。【００１２】（４）請求項３も前記（１）〜（３）と同様な効果が得られるとともに、大きいウェーブからより大きいウェーブへとウェーブの大きさを自在に変化させることができるので、容易に変化を持たせた大きいウェーブを形成することができる。【００１３】（５）請求項４も前記（１）〜（４）と同様な効果が得られるとともに、とくにパーマネントウェーブをする際にパーマネント液が浸透しやすく、形成したウェーブを長時間保つことができる。
【図面の簡単な説明】
【００１４】
【図１】本考案を実施するための最良の第１の形態の平面図。
【図２】本考案を実施するための最良の第１の形態の説明図。
【図３】図２のａ−ａ線に沿う断面図。
【図４】本発考案を実施するための第２の形態の平面図。
【図５】本考案を実施するための第２の形態の断面説明図。
【図６】図４のｂ−ｂ線に沿う断面図。
【図７】本考案を実施するための第３の形態の平面図。
【図８】図７のｃ−ｃ線に沿う断面図。
【図９】本考案を実施するための第３の形態の断面説明図。
【図１０】本考案を実施するための第４の形態の平面図。
【考案を実施するための形態】
【００１５】以下、図面に示す考案を実施するための最良の形態により本考案を詳細に説明する。
【実施例１】
【００１６】  図１ないし図３の本考案を実施するための最良の第１の形態において、１は、本考案のウェーブ形成材で、このウェーブ形成材１は厚さが１，５ｍｍ〜２，０ｍｍの主にフェルト生地を利用して成形されたウェーブ形成材本体２と、頭髪５を巻き付けることができ、その上から前記ウェーブ形成材本体２を巻き付けられるように円筒状に成形されたロッド３と、このロッド３に巻き付けられた頭髪５及びウェーブ形成材本体２を保持でき主に輪ゴムからなる保持材４とで構成されている。【００１７】  上記ウェーブ形成材本体２は、図２乃至図３に示すとおり、ロッド３に巻付けたときほぼ１周する程度の長さを有するとともに、フェルト生地などの弾性繊維素材からなる。頭髪５にこのウェーブ形成材本体２表面をあてながら前記ロッド３の外周に沿って巻き付けていくと、図２乃至図３に示すとおり、頭髪５がウェーブ形成材本体２に食い込むように巻付けられ、ロッド３に、よりきつく巻きつけることができる。ロッド３に何周か頭髪を巻付けたのち、図１のとおりロッド３の両端部に保持材４を引っ掛け、頭髪５をロッド３に保持することで、均一な大きさのウェーブを形成することができる。【００１８】  また、図２に示すとおり、頭髪５にウェーブ形成材本体２を巻きつけた後、さらにあらたなウェーブ形成材本体２を順次重ね合わせることで、一定の割合で大きさが変化したウェーブを形成することができる。【００１９】  なお、当該ウェーブ形成材本体２の長さは、ロッド３に巻付けたときほぼ２周あるいはほぼ３周する長さに成形してもよく、長くすればより大きいウェーブを形成することができる。
また、ウェーブ形成材本体２の素材は、ロッド３に巻き付けることができ、摩擦力と弾性を有する素材であれば合成ゴムや合成樹脂であってもよい。【００２０】  上記構成のウェーブ形成材１は、フェルト生地などで安価に作ることができ、ウェーブ形成材本体２を重ね合わせたり又は長くなどして巻き付けたり、巻き付ける力の強弱を調整することで、小さいウェーブから大きいウェーブへ、さらに小さいウェーブへとウェーブの大きさを自在に変化させることができるので、多様なウェーブを作ることができる。
【考案を実施するための異なる形態】
【００２１】  次に、図４乃至図１０に示す本考案を実施するための異なる形態につき説明する。なお、これらの本考案を実施するための異なる形態の説明にあたって、前記本考案を実施するための最良の第１の形態と同一構成部分には同一符号を付して重複する説明を省略する。
【実施例２】
【００２２】  図４乃至図６に示す本考案を実施するための第２の形態において、前記本考案を実施するための最良の第１の形態と主に異なる点は、ウェーブ形成材本体２ａ表面上に１ｃｍ〜１，５ｃｍ等間隔に支持材６、６、６を配置するとともに、この支持材６、６、６はおもに耐熱性プラスチックからなり、ウェーブ形成材本体２ａの幅とほぼ同じ長さを有し、直径１，５ｍｍ〜２，０ｍｍとした点で、このように構成したウェーブ形成材１Ａにしても、前記本考案を実施するための最良の第１の形態と同様な作用効果が得られるとともに、パーマネントウェーブはもちろん、就寝前や外出前など手軽にドライセットや自在性カーラーをすることができる。加えて、小さく折りたたむことができるので、保管場所を選ばず、バッグなどに容易に携帯できるので持ち運びに便利である。【００２３】  なお、図６に示すとおり、上記ウェーブ形成材本体２ａ上に、支持材６、６、６を挟み込むように別のウェーブ形成材本体２ａを取り付けることもでき、より安定したウェーブを形成できる。
また、支持材６、６、６はひとつであってもよいし、支持材６の直径が２，０ｍｍを超えるものでもよい。
【実施例３】
【００２４】  図７乃至図９に示す本考案を実施するための第３の形態において、前記本考案を実施するための第２の形態と主に異なる点は、ウェーブ形成材本体２内に  主にフェルト生地からなる弾性体７を挟み込んだ点で、このように形成したウェーブ形成材１Ｂにしても、前記本考案を実施するための第２の形態と同様な効果が得られるとともに、大きいウェーブからより大きいウェーブへとウェーブの大きさを自在に変化させることができるので、容易に変化を持たせた大きいウェーブを形成することができる。【００２５】  また、図９に示すとおり、巻き付け方向によって、弾性体７の厚みを変えることで、大きいウェーブからさらに大きいウェーブへ、若しくはさらに大きいウェーブから大きいウェーブへとウェーブの大きさを容易に変化させることができる。
なお、弾性体７は弾性を有するものであれば、合成ゴムや合成樹脂であってもよい。
【実施例４】
【００２６】  図１０に示す本考案を実施するための第４の形態において、前記本考案を実施するための第３の形態と主に異なる点は、ウェーブ形成材本体２ｂに小孔８、８、８、８、８、８、８、８、８を設けた点で、このように形成したウェーブ形成材１Ｃにしても、前記本考案を実施するための第３の形態と同様な効果が得られるとともに、とくにパーマネントウェーブをする際にパーマネント液が浸透しやすく、形成したウェーブを長時間保つことができる。【００２７】  なお、前記本考案を実施するための最良の第１の形態乃至第４の形態のウェーブ形成材本体２、２ａには、小孔８、８、８、８、８、８、８、８、８を設けていないものについて説明したが、本考案はこれに限らずこれらのウェーブ形成材本体２、２ａにも小孔８、８、８、８、８、８、８、８、８を設けてもよい。
また、保持材４は、ロッド３に巻き付けられた頭髪５を保持できれば、輪ゴムなどの伸縮素材ではなくプラスチック等で成形されたものでもよい。
【産業上の利用可能性】
【００２８】  本考案は頭髪にパーマネントウェーブ等のウェーブをかける産業で利用される。
【符号の説明】
【００２９】    １、１Ａ、１Ｂ、１Ｃ：ウェーブ形成材、
２、２ａ、２ｂ：ウェーブ形成材本体、
３：ロッド
４：保持材
５：頭髪
６：支持材
７：弾性体
８：小孔
【図１】
0003170709.tif 000003
【図２】
0003170709.tif 000004
【図３】
0003170709.tif 000005
【図４】
0003170709.tif 000006
【図５】
0003170709.tif 000007
【図６】
0003170709.tif 000008
【図７】
0003170709.tif 000009
【図８】
0003170709.tif 000010
【図９】
0003170709.tif 000011
【図１０】
0003170709.tif 000012